(57)【要約】【課題】ディスプレイボックスにおいて、サンプルをケースに収容して商品とともに展示可能とする。【解決手段】底面部１と、側面部２・３・４と、側面部４に連続する上蓋部５とを備え、上蓋部５を開放して内部に収容された商品を展示するディスプレイボックスであって、上蓋部５の内側面に取り付けられ、商品のサンプルを収容するサンプルケース７を備える。上蓋部５には、側面部４と連続する側にサンプルケース７が位置しており、このサンプルケース７に対し側面部４とは反対側の部分を折返し可能とする折目（５ｂ）が形成される。そして、折目（５ｂ）に沿って側面部４とは反対側の部分を折返してサンプルケース７に対し重なる部分に、サンプルケース７を露出する開口部５ｄが形成される。また、折目（５ｂ）が両側に連続して位置し、側面部４とは反対側の部分から連続して側面部４へ向けて突出形状に切込まれた切込み（５ｃ）が形成される。【選択図】図４
2007119032.tif 000002
【特許請求の範囲】
【請求項１】
底面部と、四周の側面部と、一の側面部に連続する上蓋部とを備え、上蓋部を開放して内部に収容された商品を展示するディスプレイボックスであって、
上蓋部の内側面に取り付けられ、商品のサンプルを収容するサンプルケースを備えることを特徴とするディスプレイボックス。
【請求項２】
前記上蓋部には、
前記一の側面部と連続する側に前記サンプルケースが位置し、
このサンプルケースに対し前記一の側面部とは反対側の部分を折返し可能とする折目が形成されるとともに、
この折目に沿って前記一の側面部とは反対側の部分を折返して前記サンプルケースに対し重なる部分に、前記サンプルケースを露出する開口部が形成されていることを特徴とする請求項１に記載のディスプレイボックス。
【請求項３】
前記上蓋部には、前記折目が両側に連続して位置し、前記一の側面部とは反対側の部分から連続して前記一の側面部へ向けて突出形状に切込まれた切込みが形成されていることを特徴とする請求項２に記載のディスプレイボックス。
【請求項４】
前記一の側面部を除く他の側面部には、上下に切り離す切取り線が連続して形成されていることを特徴とする請求項１から３のいずれか一項に記載のディスプレイボックス。
【請求項５】
前記一の側面部を除く他の側面部に連続し、前記上蓋部の内側に位置する内蓋部が備えられ、
この内蓋部には、前記サンプルケースが内方に位置する開口部が形成されていることを特徴とする請求項１から４のいずれか一項に記載のディスプレイボックス。
【発明の詳細な説明】
【技術分野】
【０００１】
本発明は、商品とともにサンプルの展示が行えるディスプレイボックスに関する。
【背景技術】
【０００２】
例えば特許文献１において、後部に脚部を備えて後方を高くし、前方を低くした傾斜する底面板を備えた商品展示用組立箱が知られている。
また、例えば特許文献２において、横断切取線、角部、切出し片及び折目を形成し、切出し片を引っ張って切取り始めることにより窓つくりするとともに箱を分断する商品展示用紙箱が知られている。
【特許文献１】特許第３２８４９１４号公報
【特許文献２】特開２００１−２３３３２８号公報
【発明の開示】
【発明が解決しようとする課題】
【０００３】
このように商品を展示するディスプレイボックスは種々あるが、サンプルをケースに収容して商品とともに展示に対応させたものは未だない。
【０００４】
本発明の課題は、ディスプレイボックスにおいて、サンプルをケースに収容して商品とともに展示可能とすることである。
【課題を解決するための手段】
【０００５】
以上の課題を解決するため、請求項１に記載の発明は、例えば図１から図３に示すように、底面部１と、四周の側面部２・３・４と、一の側面部４に連続する上蓋部５とを備え、上蓋部５を開放して内部に収容された商品を展示するディスプレイボックスであって、上蓋部５の内側面に取り付けられ、商品のサンプルを収容するサンプルケース７を備えることを特徴とする。
【０００６】
請求項１に記載の発明によれば、上蓋部５の内側面に取り付けてサンプルケース７を備えるので、このサンプルケース７にサンプルを収容して上蓋部５を開けば、ディスプレイボックス内に並べられた商品とともに、その上方において、上蓋部５の内側のサンプルケース７に収容した状態でサンプルも展示できる。
【０００７】
請求項２に記載の発明は、請求項１に記載のディスプレイボックスであって、例えば図１から図４に示すように、前記上蓋部５には、前記一の側面部４と連続する側に前記サンプルケース７が位置し、このサンプルケース７に対し前記一の側面部４とは反対側の部分を折返し可能とする折目５ｂが形成されるとともに、この折目５ｂに沿って前記一の側面部４とは反対側の部分を折返して前記サンプルケース７に対し重なる部分に、前記サンプルケース７を露出する開口部５ｄが形成されていることを特徴とする。
【０００８】
請求項２に記載の発明によれば、上蓋部５において、折目５ｂに沿って一の側面部４とは反対側の部分を手前かつ下方に折返しても、その折返しにより重なる部分に形成した開口部５ｄからサンプルケース７が露出して、そのサンプルケース７に収容した状態のサンプルを展示できる。
【０００９】
請求項３に記載の発明は、請求項２に記載のディスプレイボックスであって、例えば図１から図３に示すように、前記上蓋部５には、前記折目５ｂが両側に連続して位置し、前記一の側面部４とは反対側の部分から連続して前記一の側面部４へ向けて突出形状に切込まれた切込み５ｃが形成されていることを特徴とする。
【００１０】
請求項３に記載の発明によれば、上蓋部５において、折目５ｂに沿って一の側面部４とは反対側の部分を手前かつ下方に折返すと、両側の折目５ｂ間の切込み５ｃにより、一の側面部４とは反対側の部分から連続する突出片５ｄが立ち上がった状態に位置する。従って、その立ち上がった状態の突出片５ｄを商品説明等の表示部として利用できる。
【００１１】
請求項４に記載の発明は、請求項１から３のいずれか一項に記載のディスプレイボックスであって、例えば図１及び図２に示すように、前記一の側面部４を除く他の側面部２・３には、上下に切り離す切取り線２ａ・３ａが連続して形成されていることを特徴とする。
【００１２】
請求項４に記載の発明によれば、上蓋部５が連続する一の側面部４を除く他の側面部２・３において、連続して形成した切取り線２ａ・３ａに沿って上下に切り離すことで、ディスプレイボックス内に並べられた商品を周囲に露出させて展示できる。
【００１３】
請求項５に記載の発明は、請求項１から４のいずれか一項に記載のディスプレイボックスであって、例えば図２に示すように、前記一の側面部４を除く他の側面部２に連続し、前記上蓋部５の内側に位置する内蓋部６が備えられ、この内蓋部６には、前記サンプルケース７が内方に位置する開口部６ａが形成されていることを特徴とする。
【００１４】
請求項５に記載の発明によれば、上蓋部５を閉じた状態において、その内側面のサンプルケース７が、内蓋部６に形成した開口部６ａに位置して収まる。
【発明の効果】
【００１５】
本発明によれば、上蓋部を開けることで、ディスプレイボックス内に並べられた商品とともに、その上方において、上蓋部の内側のサンプルケースに収容した状態でサンプルも展示できるといった利点が得られる。
【発明を実施するための最良の形態】
【００１６】
以下、図を参照して本発明を実施するための最良の形態を詳細に説明する。
本発明を適用した一実施形態のディスプレイボックスは板紙により構成され、図１から図３に示すように、底面部１と、四周の側面部２・３・４と、一の側面部４に連続する上蓋部５とを備える直方体形状をなしている。
底面部１は、長辺側の対向する側面部２からそれぞれ連続して折曲げた底面片１ａ・１ｂと、短辺側の対向する側面部３・４からそれぞれ連続して折曲げた底面片１ｃ・１ｄとを互いに重ねて組み合わせることで底抜けしないよう構成されている。
【００１７】
長辺側の対向する側面部２には、図示例において、奥方に位置する短辺側の側面部４の上端側から手前側に位置する短辺側の側面部３の下部寄りに向かって切取り線２ａが形成されている。この切取り線２ａは、前下がりに傾斜した一直線上の図示一点鎖線により表示されている。
また、図示手前側に位置する短辺側の側面部３には、その下部寄りに切取り線３ａが形成されている。この切取り線３ａは、両側の切取り線２ａに連続するもので、水平な一直線上の図示一点鎖線により表示されている。
なお、四周の側面部２・３・４は、図示例では、接合片２ｂで接着されて連続している。
【００１８】
そして、図示奥方に位置する短辺側の側面部４に上蓋部５が連続して備えられている。この上蓋部５には、その先端に差込み片５ａが連続していて、折目５ｂと切込み５ｃと開口部５ｄが形成されている。
すなわち、先端に差込み片５ａが連続する上蓋部５には、その長手方向の中央部から少し側面部４寄りに両側の折目５ｂ及びその間の切込み５ｃが形成されている。折目５ｂは、両側の一直線上の図示点線により表示されている。切込み５ｃは、両側の折目５ｂを境に差込み片５ａ側の部分から連続して側面部４へ向けて突出形状に切込まれている。
【００１９】
また、上蓋部５の内側面には、一方（図示右側）の折目５ｂの近傍から側面部４に向かって細長いサンプルケース７が貼り付けられている。このサンプルケース７は、樹脂製透明板による細長い直方体形状のもので、その内部には、ディスプレイボックス内に並べた梱包状態で搬送される商品（例えばフィギアや玩具等）のサンプルが収容される。
さらに、上蓋部５には、図示右側の折目５ｂの近傍から差込み片５ａに向かって長方形の開口部５ｄが形成されている。この開口部５ｄには、上蓋部５を折目５ｂに沿って内側に折返した状態において、サンプルケース７が貫通して位置する。
【００２０】
また、長辺側の対向する側面部２には、その上端に内蓋部６がそれぞれ連続して備えられている。内蓋部６の一方（図示右側）には、開口部６ａとサンプル品在中表示部６ｂが長辺方向に並べて形成されている。
すなわち、図示右側の内蓋部６には、その長手方向の中央部から少し側面部４寄りに長方形の開口部６ａが形成されている。この開口部６ａには、図示手前側に位置する短辺側の側面部３の内側に差込み片５ａを差し込んで上蓋部５を閉じた状態において、サンプルケース７が貫通して位置する。
さらに、図示右側の内蓋部６には、開口部６ａの近傍から側面部３に向かってサンプル品在中表示部６ｂが形成されている。このサンプル品在中表示部６ｂには、「サンプル品在中」と表示されていて、図１に示すように、上蓋部５を閉じた状態において、開口部５ｄに位置する。
【００２１】
以上の構成によるディスプレイボックスは、図示しない所定の商品を並べて収容するとともに、予め商品のサンプルをサンプルケース７に収容した状態で、図１に示すような梱包状態で搬送される。この梱包状態において、上蓋部５の開口部５ｄには内蓋部６のサンプル品在中表示部６ｂが位置して、その「サンプル品在中」の表示が見えた状態となっている。
そして、搬送先の商店等において、図２に示すように、上蓋部５を開けて、中の商品を一旦取出してから、長辺側の対向する側面部２を切取り線２ａに沿って鋏で切取るとともに、図示手前側に位置する短辺側の側面部３を切取り線３ａに沿って鋏で切取る。この状態を図３に示した。
【００２２】
次に、上蓋部５を両側の折目５ｂに沿って差込み片５ａが連続する側の部分を手前かつ下方に折返す。これにより、図４に示したように、両側の折目５ｂ間の切込み５ｃにより、折返された部分から連続する突出片５ｄが立ち上がった状態になるとともに、折返された部分の開口部５ｄからサンプルケース７が手前側に突出して露出した状態になる。
その後、一旦取出した商品をディスプレイボックス内に並べて収容した状態で展示する。
【００２３】
従って、ディスプレイボックス内に並べられた商品は、図４に示したように、長辺側の対向する側面部２の前下がりに一直線状に傾斜した上縁部から周囲に露出するとともに、図示手前側に位置する短辺側の側面部３の下部のみが残った上縁部から露出して展示状態となる。
そして、展示状態の商品の奥方上部には、縦長透明のサンプルケース７に収容したサンプルが展示状態となっている。
【００２４】
なお、以上の実施形態においては、板紙によるディスプレイボックスとしたが、本発明はこれに限定されるものではなく、ディスプレイボックスは段ボール紙や合成樹脂フィルとの複合シート材料などにより形成されるものであっても良い。
また、ディスプレイボックスやサンプルケースのデザイン・大きさ等も任意であり、その他、具体的な細部構造等についても適宜に変更可能であることは勿論である。
【図面の簡単な説明】
【００２５】
【図１】本発明を適用したディスプレイボックスの一実施形態の構成を示すもので、上蓋部を閉じた状態を示した斜視図である。
【図２】図１の状態から上蓋部を開放した状態を示した斜視図である。
【図３】図２の状態から側面部を切取った状態を示した斜視図である。
【図４】図３の状態から上蓋部を折返した状態を示した斜視図である。
【符号の説明】
【００２６】
１  底面部
２・３・４  側面部
２ａ・３ａ  切取り線
２ｂ  接合片
５  上蓋部
５ａ  差込み片
５ｂ  折目
５ｃ  切込み
５ｄ  開口部
５ｅ  突出片
６  内蓋部
６ａ  開口部
６ｂ  サンプル品在中表示部
７  サンプルケース
【図１】
2007119032.tif 000003
【図２】
2007119032.tif 000004
【図３】
2007119032.tif 000005
【図４】
2007119032.tif 000006